(57)【要約】【課題】  センサの容易な着脱を可能にする壁掛け型電子レンジを提供する。【解決手段】  壁掛け型電子レンジの外観をなす外部ケースと、外部ケース内に配置され外部ケースとの間に流路を形成し、調理室及び電装室を含む内部ケースと、外部ケースと内部ケース間に形成された流路内に流れる空気の状態をチェックするため、流路内に配置されるセンサと、電源と制御信号をセンサに伝達するため、センサに接続される端子部材と、センサ及び端子部材を固定するため、流路を形成する壁に設けられた取り付け孔と、相互接続されたセンサ及び端子部材を支持し、取り付け孔に着脱可能に結合されるセンサホルダとを含む。狭小な空間の案内ダクト内ではセンサホルダを案内ダクトから分離する作業のみが行え、相互接続されたセンサと端子部材をセンサホルダから分離する作業、及びセンサを端子部材から分離する作業は案内ダクトの外部で行える。【選択図】  図２
2004219047.tif 000002
【特許請求の範囲】
【請求項１】
壁掛け型電子レンジの外観をなす外部ケースと、
前記外部ケース内に配置され前記外部ケースとの間に流路を形成し、調理室及び電装室を含む内部ケースと、
前記外部ケースと前記内部ケース間に形成された前記流路内に流れる空気の状態をチェックするため、前記流路内に配置されるセンサと、
電源と制御信号を前記センサに伝達するため、前記センサに接続される端子部材と、
前記センサ及び前記端子部材を固定するため、前記流路を形成する壁に設けられた取り付け孔と、
相互接続された前記センサ及び前記端子部材を支持し、前記取り付け孔に着脱可能に結合されるセンサホルダとを含んでなることを特徴とする壁掛け型電子レンジ。
【請求項２】
前記センサが、
前記流路内に流れる空気の状態をチェックする検知部と、
前記センサホルダに支持されるように前記検知部から半径方向に拡張されたフランジ部とを含み、
前記センサホルダが、
前記センサの前記検知部は通過するようにするが、フランジ部は掛かるように所定サイズに形成されたリング部と、
前記センサに連結された前記端子部材を弾支するため、前記リング部から延長される少なくとも二つの第１弾支部材とを含むことを特徴とする請求項１に記載の壁掛け型電子レンジ。
【請求項３】
前記第１弾支部材の各々が、前記端子部材が前記センサホルダの前記リング部から離脱することを防止するため、前記端子部材側に突出する多数のフック部がその内側対向面に設けられることを特徴とする請求項２に記載の壁掛け型電子レンジ。
【請求項４】
前記端子部材が、前記多数のフック部の各々に係止されるように、前記第１弾支部材の多数のフックに対応する位置に多数の弾支片が設けられることを特徴とする請求項３に記載の壁掛け型電子レンジ。
【請求項５】
前記センサホルダが、前記センサホルダが前記取り付け孔に着脱可能に挿着されるように、前記センサホルダのリング部から延長される少なくとも二つの第２弾支部材をさらに含むことを特徴とする請求項２に記載の壁掛け型電子レンジ。
【請求項６】
前記流路をなし前記取り付け孔を有する前記壁には、前記少なくとも二つの第２弾支部材を係止するため、前記少なくとも二つの第２弾支部材に対応する、前記取り付け孔の隣接位置に係止切取部が形成され、
前記第２弾支部材の各部材が、
前記センサホルダのリング部から延長される“Ｕ”字形の弾性部と、
前記“Ｕ”字形弾性部の自由端部から延長される延長部と、
前記“Ｕ”字形弾性部と前記延長部間に設けられた段差部とを含むことを特徴とする請求項５に記載の壁掛け型電子レンジ。
【請求項７】
前記センサが、前記流路内に流れる空気の湿度と、前記流路内に流れる空気内に含まれたガス量をチェックするガスセンサを含むことを特徴とする請求項１に記載の壁掛け型電子レンジ。
【請求項８】
前記調理室から排出される空気を前記外部ケースの前面側に案内するため、前記調理室の上部に配設される案内ダクトをさらに含み、前記取り付け孔は前記案内ダクトに形成されることを特徴とする請求項１に記載の壁掛け型電子レンジ。
【請求項９】
下側の空気を排出するための排気流路と、前記排気流路を形成する壁に形成された取り付け孔とを有する壁掛け型電子レンジにおいて、
前記排気流路内に流れる空気の状態をチェックするため、前記排気流路内に設けられるセンサと、
前記センサに電源及び制御信号を提供するため、前記センサに接続される端子部材と、
相互接続された前記センサ及び前記端子部材を支持し、前記取り付け孔に着脱可能に結合されるセンサホルダとを含んでなることを特徴とする壁掛け型電子レンジ。
【請求項１０】
前記センサが、
前記排気流路内に流れる空気の状態をチェックする検知部と、
前記センサホルダに着脱可能に結合するため、前記検知部の半径より大きい半径を有するフランジ部とを含み、
前記センサホルダが、
前記センサの前記検知部は通過するようにするが前記フランジ部は着脱可能に掛かるようにするリング部と、
前記センサに連結された前記端子部材を弾支するため、前記リング部から延長される二つ以上の第１弾支部材とを含むことを特徴とする請求項９に記載の壁掛け型電子レンジ。
【請求項１１】
前記第１弾支部材の各々が、前記端子部材が前記センサホルダの前記リング部から離脱することを防止するため、前記端子部材側に突出する多数のフック部がその内側対向面に設けられることを特徴とする請求項１０に記載の壁掛け型電子レンジ。
【請求項１２】
前記端子部材が、前記多数のフック部の各々に係止されるように、前記第１弾支部材の多数のフック部に対応する位置に多数の弾支片が設けられることを特徴とする請求項１１に記載の壁掛け型電子レンジ。
【請求項１３】
前記センサホルダが、前記センサホルダが前記取り付け孔に着脱可能に挿着されるように、前記センサホルダのリング部から延長される二つ以上の第２弾支部材をさらに含むことを特徴とする請求項１１に記載の壁掛け型電子レンジ。
【請求項１４】
前記二つ以上の第２弾支部材を係止するため、前記二つ以上の第２弾支部材に対応する、前記取り付け孔の隣接位置に係止切取部が形成された、前記排気流路の壁をさらに含むことを特徴とする請求項１３に記載の壁掛け型電子レンジ。
【請求項１５】
前記第２弾支部材の各部材が、
前記センサホルダのリング部から延長される“Ｕ”字形部と、
前記“Ｕ”字形部の自由端部から延長される延長部と、
前記“Ｕ”字形部と前記延長部間に設けられた段差部とを含むことを特徴とする請求項１３に記載の壁掛け型電子レンジ。
【請求項１６】
前記センサが、前記排気流路内に流れる空気の湿度と、前記排気流路内に流れる空気内に含まれたガス量をチェックするガスセンサを含むことを特徴とする請求項９に記載の壁掛け型電子レンジ。
【請求項１７】
調理室と、
前記調理室から排出される空気を案内するため、前記電子レンジの上部前面に設けられ、前記センサが内蔵された案内ダクトとをさらに含むことを特徴とする請求項９に記載の壁掛け型電子レンジ。
【請求項１８】
前記調理室をなす内部ケースと、
前記内部ケースとの間に前記排気流路を形成し、前記電子レンジの外観をなす外部ケースとをさらに含むことを特徴とする請求項１７に記載の壁掛け型電子レンジ。
【請求項１９】
前記センサが前記排気流路内の温度、湿度及びガス濃度のいずれか一つ以上をチェックすることを特徴とする請求項９に記載の壁掛け型電子レンジ。
【請求項２０】
前記センサのフランジ部が、前記センサを前記端子部材に着脱可能に連結するための多数の接続突起を含み、
前記端子部材が、前記センサを前記端子部材に電気的に連結するため、前記センサの各接続突起が挿着される多数の接続端子を含むことを特徴とする請求項１９に記載の壁掛け型電子レンジ。
【請求項２１】
前記センサが前記電子レンジの外部で前記端子部材から分離可能であることを特徴とする請求項９に記載の壁掛け型電子レンジ。
【請求項２２】
壁掛け型電子レンジの排気流路の壁に結合されるセンサ部において、
前記排気流路内に流れる空気の状態をチェックするため、前記排気流路内に設けられるセンサと、
前記センサに電源及び制御信号を提供するため、前記センサに接続される端子部材と、
相互接続された前記センサ及び前記端子部材を支持し、前記取り付け孔に着脱可能に結合されるセンサホルダとを含んでなることを特徴とするセンサ部。
【請求項２３】
前記センサが、
前記排気流路内に流れる空気の状態をチェックする検知部と、
前記センサホルダに着脱可能に結合するため、前記検知部の半径より大きい半径を有するフランジ部とを含み、
前記センサホルダが、
前記センサの前記検知部は通過するようにするが前記フランジ部は着脱可能に掛かるようにするリング部と、
前記センサに連結された前記端子部材を弾支するため、前記リング部から延長される二つ以上の第１弾支部材とを含むことを特徴とする請求項２２に記載のセンサ部。
【請求項２４】
前記第１弾支部材の各々が、前記端子部材が前記センサホルダの前記リング部から離脱することを防止するため、前記端子部材側に突出する多数のフック部がその内側対向面に設けられることを特徴とする請求項２３に記載のセンサ部。
【請求項２５】
前記端子部材が、前記多数のフック部の各々に係止されるように、前記第１弾支部材の多数のフック部に対応する位置に多数の弾支片が設けられることを特徴とする請求項２４に記載のセンサ部。
【請求項２６】
前記センサホルダが、前記センサホルダが前記取り付け孔に着脱可能に挿着されるように、前記センサホルダのリング部から延長される二つ以上の第２弾支部材をさらに含むことを特徴とする請求項２４に記載のセンサ部。
【請求項２７】
前記センサ部が、前記二つ以上の第２弾支部材を係止するため、前記二つ以上の第２弾支部材に対応する、前記取り付け孔の隣接位置に係止切取部が形成された、前記排気流路の壁をさらに含むことを特徴とする請求項２６に記載のセンサ部。
【請求項２８】
前記第２弾支部材の各部材が、
前記センサホルダのリング部から延長される“Ｕ”字形部と、
前記“Ｕ”字形部の自由端部から延長される延長部と、
前記“Ｕ”字形部と前記延長部間に設けられた段差部とを含むことを特徴とする請求項２６に記載のセンサ部。
【請求項２９】
前記センサが、前記排気流路内に流れる空気の湿度と、前記排気流路内に流れる空気内に含まれたガス量をチェックするセンサを含むことを特徴とする請求項２２に記載のセンサ部。
【請求項３０】
前記センサ部が、
調理室と、
前記調理室から排出される空気を案内するため、前記電子レンジの上部前面に設けられ、前記センサが内蔵された案内ダクトとをさらに含むことを特徴とする請求項２２に記載のセンサ部。
【請求項３１】
前記センサ部が、
前記調理室をなす内部ケースと、
前記内部ケースとの間に前記排気流路を形成し、前記電子レンジの外観をなす外部ケースとをさらに含むことを特徴とする請求項３０に記載のセンサ部。
【請求項３２】
前記センサが前記排気流路内の温度、湿度及びガス濃度のいずれか一つ以上をチェックすることを特徴とする請求項２２に記載のセンサ部。
【請求項３３】
前記センサのフランジ部が、前記センサを前記端子部材に着脱可能に連結するための多数の接続突起を含み、
前記端子部材が、前記センサを前記端子部材に電気的に連結するため、前記センサの各接続突起が挿着される多数の接続端子を含むことを特徴とする請求項２２に記載のセンサ部。
【請求項３４】
空気を排出するための排気流路と、前記排気流路を形成する壁に形成された取り付け孔とを有する電子レンジにおいて、
前記排気流路内に流れる空気の状態をチェックするため、前記排気流路内に設けられるセンサと、
前記センサに電源及び制御信号を提供するため、前記センサに接続される端子部材と、
前記センサを前記端子部材から分離する作業が電子レンジの外部で行えるように、前記端子部材から分離相互接続された前記センサ及び前記端子部材を支持し、前記取り付け孔に着脱可能に結合されるセンサホルダとを含んでなることを特徴とする電子レンジ。
【発明の詳細な説明】
【技術分野】
【０００１】
本発明は壁掛け型電子レンジに係り、より詳しくはセンサの容易な着脱を可能にした壁掛け型電子レンジに関するものである。
【背景技術】
【０００２】
一般に、電子レンジは高周波を放射して水分子を振動させ、その摩擦熱により飲食物を調理する装置であって、特に厨房のオーブンレンジなどの調理装置の上側に固定され、汚染空気を外部に排出するフード機能も兼ねるようになっているものを壁掛け型電子レンジという。
【０００３】
従来の壁掛け型電子レンジは厨房空間のオーブンレンジの上側壁面に取り付けられるもので、通常の電子レンジが有する調理機能とともに、下部に配置されるオーブンレンジから発生する排気ガス、飲食物の臭いなどを外部へ排出する機能を兼ねるようになっている。
【０００４】
かかる従来の壁掛け型電子レンジは、飲食物の調理が行われる調理室と、各種の電気部品が取り付けられる電装室とが内部に区画されており、電装室の冷却及び調理室の換気のための流路と、下部に設置されたオーブンレンジから発生する排気ガスを外部へ排出するための流路とが設けられている。
また、このような壁掛け型電子レンジには、内部に設けられた換気流路及び排気流路を通る空気の温度又は湿度を検知するため、種々のセンサが設けられている。
【０００５】
このようなセンサを換気流路又は排気流路に取り付けるため、壁掛け型電子レンジには、流路の壁面に設けられた取り付け孔に電源及び制御信号の伝達のための端子部材を固定した後、端子部材にセンサを取り付け、センサが電源端子から離脱することを防止するために一側はセンサを取り囲み他側は電源端子を取り囲むように形成されたセンサホルダでセンサと端子部材を固定させることにより、センサが壁掛け型電子レンジの内部に設けられた流路に固定できるようになっている。
【０００６】
ところが、このような壁掛け型電子レンジにおいて、センサの老朽などのため、センサを分離する必要がある場合には、狭小な空間でなる流路内でセンサと端子部材を取り囲んでいるセンサホルダを分離し、さらにセンサを端子部材から分離する作業を行わなければならないため、作業性が低下するという問題点がある。
【発明の開示】
【発明が解決しようとする課題】
【０００７】
したがって、本発明はこのような従来の問題点を解決するためになされたもので、その目的はセンサの容易な着脱を可能にした壁掛け型電子レンジを提供することにある。
【課題を解決するための手段】
【０００８】
このような目的を達成するため、本発明は、壁掛け型電子レンジの外観をなす外部ケースと、前記外部ケース内に配置され前記外部ケースとの間に流路を形成し、調理室及び電装室を含む内部ケースと、前記外部ケースと前記内部ケース間に形成された前記流路内に流れる空気の状態をチェックするため、前記流路内に配置されるセンサと、電源と制御信号を前記センサに伝達するため、前記センサに接続される端子部材と、前記センサ及び前記端子部材を固定するため、前記流路を形成する壁に設けられた取り付け孔と、相互接続された前記センサ及び前記端子部材を支持し、前記取り付け孔に着脱可能に結合されるセンサホルダとを含んでなる壁掛け型電子レンジを提供する。
【０００９】
前記センサは、前記流路内に流れる空気の状態をチェックする検知部と、前記センサホルダに支持されるように前記検知部から半径方向に拡張されたフランジ部とを含み得、前記センサホルダは、前記センサの前記検知部は通過するようにするがフランジ部は掛かるように所定サイズに形成されたリング部と、前記センサに連結された前記端子部材を弾支するため、前記リング部から延長される少なくとも二つの第１弾支部材とを含み得る。
【００１０】
前記第１弾支部材の各々は、前記端子部材が前記センサホルダの前記リング部から離脱することを防止するため、前記端子部材側に突出する多数のフック部がその内側対向面に設けられる。
【００１１】
前記端子部材は、前記多数のフック部の各々に係止されるように、前記第１弾支部材の多数のフックに対応する位置に多数の弾支片が設けられる。
【００１２】
前記センサホルダは、前記センサホルダが前記取り付け孔に着脱可能に挿着されるように、前記センサホルダのリング部から延長される少なくとも二つの第２弾支部材をさらに含み得る。
【００１３】
前記流路をなし前記取り付け孔を有する前記壁には、前記少なくとも二つの第２弾支部材を係止するため、前記少なくとも二つの第２弾支部材に対応する、前記取り付け孔の隣接位置に係止切取部が形成され、前記第２弾支部材の各部材は、前記センサホルダのリング部から延長される“Ｕ”字形の弾性部と、前記“Ｕ”字形弾性部の自由端部から延長される延長部と、前記“Ｕ”字形弾性部と前記延長部間に設けられた段差部とを含み得る。
【００１４】
前記センサは、前記流路内に流れる空気の湿度と、前記流路内に流れる空気内に含まれたガス量をチェックするガスセンサを含み得る。
【００１５】
前記壁掛け型電子レンジは、前記調理室から排出される空気を前記外部ケースの前面側に案内するため、前記調理室の上部に配設される案内ダクトをさらに含み、前記取り付け孔は前記案内ダクトに形成される。
【発明の効果】
【００１６】
本発明による壁掛け型電子レンジは、センサ及び端子部材を固定するセンサホルダが案内ダクトに着脱可能に取り付けられるので、狭小な空間の案内ダクト内ではセンサホルダを案内ダクトから分離する作業のみが行われ、相互接続されたセンサと端子部材をセンサホルダから分離する作業と、センサを端子部材から分離する作業とは案内ダクトの外部で行われるので、センサを容易に着脱することができる作用効果がある。
【発明を実施するための最良の形態】
【００１７】
以下、本発明の好ましい実施形態を添付した図面に基づいて詳細に説明する。
本発明による壁掛け型電子レンジは、図１に示すように、厨房空間のオーブンレンジ（図示せず）の上側の天井又は食器棚の下面に取り付けられ、その上部には、オーブンレンジの使用時に発生する排気ガス及び飲食物臭いを外部へ排出するように案内する外部ダクト（図示せず）が天井又は食器棚を貫通して設置される。
【００１８】
このような壁掛け型電子レンジは、外観をなす外部ケース１０と、外部ケース１０との間に空気流路が形成されるように、外部ケース１０の内側に外部ケース１０から所定距離だけ離隔して設けられる内部ケース２０とを有する。
【００１９】
内部ケース２０には、飲食物の調理が行われる調理室２１と、各種の電気部品が設けられる電装室２２とがその間に設けられた区画板２３により区画される。調理室２１の前面はドア２４により開閉可能に構成され、電装室２２の前面には電子レンジの機能を制御するための制御盤２５がドア２４と平行に設けられる。
【００２０】
電装室２２の内部には、調理室２１の内部に高周波を供給するためのマグネトロン２２ａと、該マグネトロン２２ａに高電圧を印加するための高圧トランス２２ｂなどの電気部品が設けられる。
【００２１】
さらに、電装室２２の内部には、電装室２２の冷却及び調理室２１の換気のため、送風力を発生させる冷却ファン２２ｃと、制御盤２５の上側に設けられ、電装室２２に室内空気が流入されるようにする第１吸入口２６と、ドア２４の上側に設けられ、調理室２１から排出された空気が室内に排出されるようにする第１排気口２７とが設けられる。
【００２２】
また、区画板２３には、空気が電装室２２から調理室２１に流動できるように、第１連通孔２３ａが形成され、調理室２１の上板２１ｂには、調理室２１の内部空気が上側に排出できるように、第２連通孔２１ａが形成される。また、第２連通孔２１ａの上側には、第２連通孔２１ａを通じて排出された空気を第１排気口２７に案内する案内ダクト３０が設けられる。
【００２３】
案内ダクト３０は、第２連通孔２１ａが上板２１ｂに形成された部位に相応する形状に形成され、第２連通孔２１ａを覆う第１案内部３１と、該第１案内部３１から延長され、第１排気口２７に相応する形状に形成され、第１排気口２７を覆う第２案内部３２とからなる。
【００２４】
したがって、冷却ファン２２ｃが回転して送風力を発生させると、室内空気が第１吸気口２６を通じて電装室２２に流入され電装室２２の内部を冷却させ、続いて第１連通孔２３ａを通じて調理室２１に流入され調理室２１の内部を換気させた後、第２連通孔２１ａと案内ダクト３０を経て第１排気口２７を通じて排出される。
【００２５】
このような壁掛け型電子レンジは、下部に設置されたオーブンレンジなどから発生する排気ガスを外部（室外）へ排出するため、外部ケース１０の下面をなす下板の両側には、オーブンレンジから発生した排気ガス及び飲食物の臭いを含む汚染された室内空気が外部ケース１０内に流入できるように第２吸入口１１が形成され、外部ケース１０の上面をなす上板には、第２吸入口１１を通じて外部ケース１０の内部に流入された室内空気が排出できるように第２排気口１２が形成されている。
【００２６】
外部ケース１０と内部ケース２０との間には、内部ケース２０の下部から後部を経て上方に延長され、第２吸気口１１を通じて流入された室内空気を第２排気口１２に案内するように内部ダクト１３が設けられる。外部ケース１０の上部後側には、回転力を発生させるファンモータ１４と、ファンモータ１４の両側に設けられ、ファンモータ１４により回転して送風力を発生させる一対の排気ファン１５とが設けられる。
【００２７】
したがって、オーブンレンジから発生した汚染された室内空気はファンモータ１４と排気ファン１５により発生した送風力により第１吸気口１１を通じて外部ケース１０内に流入された後、内部ダクト１３と第２排気口を通じて外部ダクトに案内され、外部ダクトを経て室外に排出される。
【００２８】
このような壁掛け型電子レンジには、流動空気の温度、湿度などをチェックするため、空気が流動する流路上（流路内）に、温度センサ、ガスセンサなどの種々のセンサが設けられる。
【００２９】
本実施形態においては、案内ダクト３０を経て排出される空気の湿度及びガスをチェックするため、案内ダクト３０に設置されるガスセンサ４０の設置構造を説明する。
図２に示すように、案内ダクト３０には、案内ダクト３０を通じて移動する空気の湿度及びガス量を検知するガスセンサ４０が設けられる。案内ダクト３０には、ガスセンサ４０の取り付けのため、円形に開放された取り付け孔３３が設けられる。ガスセンサ４０には、電源を供給するとともにガスセンサ４０から発生した信号を制御盤２５に伝達する端子部材５０が設けられる。ガスセンサ４０と端子部材５０には、ガスセンサ４０が接続された状態を持続して維持するために両者を固定するとともにガスセンサ４０が案内ダクト３０に着脱可能に固定されるようにするセンサホルダ６０が設けられる。
【００３０】
ガスセンサ４０は、ガスを検知する円筒状の検知部４１と、該検知部４１に比べて大直径を有するフランジ部４２とを含み、ガスセンサ４０がフランジ部４２によりセンサホルダ６０に取り付けられるようにする。また、ガスセンサ４０のフランジ部４２の端部には、端子部材５０に接続するための多数の接続突起４３が突設されている。
【００３１】
端子部材５０は電源及び電気信号の伝達のためのもので、ガスセンサ４０に設けられた接続突起４３が差し込まれて接続されるように、多数の接続端子５１が設けられる。よって接続端子５１を介してガスセンサ４０に接続できる。
【００３２】
センサホルダ６０は、前記検知部４１は通過されるようにしながら前記フランジ部４２は引っかかるように所定の直径を有するリング部６１と、該リング部６１から延長され、相互接続されたガスセンサ４０と端子部材５０がリング部６１に固定されるようにする少なくとも二つの第１弾支部材６２と、センサホルダ６０が取り付け孔３３に着脱可能に固定されるようにする少なくとも二つの第２弾支部材６３とを含む。
【００３３】
図３に示すように、第１弾支部材６２は、リング部６１から端子部材５０側に二つが対称状に延長され、第１弾支部材６２の対向面にはフック部６２ａが突設されるので、第１弾支部材間に端子部材５０を挟支することができる。このため、端子部材５０には、第１弾支部材６２のフック部６２ａにかかる弾支片５２が延長されている。したがって、相互接続された状態のガスセンサ４０と端子部材５０をセンサホルダ６０に挿入すると、ガスセンサ４０のフランジ部４２がリング部６１に支持され、端子部材５０の弾支片５２がセンサホルダ６０のフック部６２ａに支持されるので、ガスセンサ４０と端子部材５０がセンサホルダ６０内に着脱可能に結合される。
【００３４】
図４に示すように、第２弾支部材６３は、弾性力を発揮するようにリング部６１から略“Ｕ”字形に延長された二つの弾性部６３ａと、この弾性部６３ａの端部から延長され、取り付け孔３３にかかって結合される段差部を有する延長部６３ｂとを含む。取り付け孔３３には、第２弾支部材６３の延長部６３ｂの段差部を収容するため、両側に二つの係止切取部３３ａが形成される。したがって、センサホルダ６０を取り付け孔３３に押し込むと、第２弾支部材６３の延長部６３ｂの段差部が係止切取部３３ａに掛かるので、センサホルダ６０が取り付け孔３３に着脱可能に結合される。
【００３５】
本実施形態において、センサホルダ６０はガスセンサ４０を取り付けるために用いられたが、これに限られるものではなく、そのほかに多様なセンサの固定のために用いることができる。
さらに、本実施形態において、円形取り付け孔３３は案内ダクト３０に形成されているが、これに限られるものではなく、必要に応じて空気の流れる流路上の任意の位置に形成できる。
【００３６】
つぎに、このように構成された本発明による壁掛け型電子レンジのガスセンサの着脱過程を図面に基づいて詳細に説明する。
まず、ガスセンサ４０を案内ダクト３０に取り付ける場合、ガスセンサ４０を端子部材５０に接続し、この接続済みのガスセンサ４０及び端子部材５０をセンサホルダ６０に挿着する。
【００３７】
したがって、ガスセンサ４０のフランジ部４２がリング部６１に掛かり、端子部材５０に設けられた弾支片５２が第１弾支部材６２のフック部６２ａに係止されるので、ガスセンサ４０及び端子部材５０がセンサホルダ６０により相互接続された状態で固定される。
【００３８】
続いて、内部にガスセンサ４０及び端子部材５０が挿着されたセンサホルダ６０を案内ダクト３０の取り付け孔３３に挿入すると、第２弾支部材６３の延長部６３ｂの段差部が係止切取部３３ａに係止され、よってガスセンサ４０が案内ダクト３０の取り付け孔３３に固定される。
【００３９】
長期間の使用によるガスセンサ４０の老朽のせいでガスセンサ４０の交換が必要な場合、案内ダクト３０に取り付けられたセンサホルダ６０の第２弾支部材６３を押し付けて変形させた後、センサホルダ６０を前方に引き出すと、第２弾支部材６３の延長部６３ｂの段差部が係止切取部３３ａから分離され、センサホルダ６０が案内ダクト３０から離脱される。
【００４０】
ついで、第１弾支部材６２を外側に広げて、相互接続されたガスセンサ４０及び端子部材５０をセンサホルダ６０から分離した後、ガスセンサ４０を端子部材５０から分離してガスセンサ４０を交換する。
このように、ガスセンサ４０を着脱する作業の大部分が案内ダクト３０の外側でなされる。
【図面の簡単な説明】
【００４１】
【図１】本発明による壁掛け型電子レンジの構造を示す斜視図である。
【図２】図１の II 部の拡大図である。
【図３】図２の線 III-III についての断面図である。
【図４】図２の線 IV-IV についての断面図である。
【符号の説明】
【００４２】
１０    外部ケース
１３    内部ダクト
１４    ファンモータ
１５    排気ファン
２０    内部ケース
２１    調理室
２２    電装室
２２ａ  マグネトロン
２２ｂ  高圧トランス
２２ｃ  冷却ファン
２３    区画板
２４    ドア
２５    制御盤
３０    案内ダクト
３１    第１案内部
３２    第２案内部
３３    取り付け孔
３３ａ  係止切取部
４０    ガスセンサ
４１    検知部
４２    フランジ部
４３    接続突起
５０    端子部材
５１    接続端子
６０    センサホルダ
６１    リング部
６２    第１弾支部材
６２ａ  フック部
６３    第２弾支部材
６３ａ  弾性部
６３ｂ  延長部
【図１】
2004219047.tif 000003
【図２】
2004219047.tif 000004
【図３】
2004219047.tif 000005
【図４】
2004219047.tif 000006